(57)【要約】【課題】磁性体反転表示パネルが有する罫線等の表示体が、磁気ペン等に擦られて剥がれることがないものとし、また、筆記線が表示体と重なった場合においても、筆記線が途切れてしまうことがないものとする。【解決手段】筆記面を、Ｓ極側表面部分を第一の色に着色しＮ極側表面部分を第二の色に着色した第一の磁性体を分散した第一の分散液体を収容した第一の液体収容室で構成した第一筆記面と、Ｓ極側表面部分を前記第二の色又は第三の色に着色しＮ極側表面部分を前記第一の色又は第四の色に着色した第二の磁性体を分散した第二の分散液体を収容した第二の液体収容室で構成した、表示体を形成する第二筆記面とで形成する。【選択図】　　　図４
2004050740.tif 000002
【特許請求の範囲】
【請求項１】
Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネルにおいて、筆記面を、Ｓ極側表面部分を第一の色に着色しＮ極側表面部分を第二の色に着色した第一の磁性体を分散した第一の分散液体を収容した第一の液体収容室で構成した第一筆記面と、Ｓ極側表面部分を前記第二の色又は第三の色に着色しＮ極側表面部分を前記第一の色又は第四の色に着色した第二の磁性体を分散した第二の分散液体を収容した第二の液体収容室で構成した、表示体を形成する第二筆記面とで形成したことを特徴とする磁性体反転表示パネル。
【請求項２】
Ｓ極側表面部分を第一の色に着色し、Ｎ極側表面部分を第二の色に着色した第一の磁性体を分散媒と増稠剤とを主成分とする降伏値を有する液体中に分散してなした分散液体を、複数の第一の液体収容室に収容し、該第一の液体収容室を透明な中板で被覆し、該透明な中板の上側に、凹部を設けてＳ極側表面部分を前記第二の色又は第三の色に着色しＮ極側表面部分を前記第一の色又は第四の色に着色した第二の磁性体を分散した第二の分散液体を収容した第二の液体収容室を形成し、前記透明な中板の上側に筆記面となる透明な表面板を配し、筆記面における前記第二の液体収容室の上面部分で表示体を構成する第二筆記面とし、その他の部分を第一筆記面としたことを特徴とする磁性体反転表示パネル。
【発明の詳細な説明】
【０００１】
【発明の属する技術分野】
本発明は、筆記面に予め罫線や文字や模様等の表示体を設けた磁性体反転表示パネルに関する。
【０００２】
【従来の技術】
従来より、例えばＳ極側表面部分を緑にＮ極側表面部分を白に着色した磁性体を分散媒と増稠剤とを主成分とする降伏値を有する液体中に分散してなした分散液体を、複数の液体収容室（例えば裏面板の上に配した隔壁により仕切られたハニカムセル）に収容し、該液体収容室の表側に透明な表面板を配して筆記面とし、筆記面が白色の状態（Ｎ極側表面部分が筆記面に向いた状態）で、磁気ペンのＮ極を近づけることにより、磁力で磁性体を反転させて白色（Ｎ極側表面部分が筆記面に向いた状態）の背景部に緑色（Ｓ極側表面部分が筆記面に向いた状態）の筆記線を構成するいわゆる磁性体反転表示パネルは知られている。
【０００３】
また最近では、磁性体反転表示パネルの筆記面に、黒板やホワイトボードのように予め罫線や文字や模様等の表示体を設けることが望まれている。前記表示体を磁気パネルの筆記面に設ける方法としては、表面板の表側に直接印刷インキで印刷を行うものが実用新案登録第３０７５１９７号公報に記載されており、また、ホワイトボードでは、筆記面に色つきの粘着テープを貼付けて罫線とするものが良く知られている。
【０００４】
【発明が解決しようとする課題】
しかしながら、磁性体反転表示パネルの表面板は透明な樹脂で形成されているため、鋼板等で形成するホワイトボートとは異なり、印刷した後に焼き付け加工を行うことができず、印刷インキの定着性が低く、筆記面に磁気ペンや磁気イレーザーを当接して繰返しの書消しを行っていると、表示体が表面板から剥がれて見辛くなってしまうという問題がある。また、筆記面に色つきの粘着テープを貼付けて罫線とした場合も同様に、磁気ペンや磁気イレーザーに擦られて粘着テープが剥がれて見辛くなってしまうという問題があった。さらに、上記いずれの方法においても、筆記面から罫線等の表示体が浮き出た状態となるため、筆記時に磁気ペンが引っ掛かって筆記感が悪くなったり、ゴミや汚れが付着して表示体の視認性が悪くなるという問題があり、さらに、磁性体反転表示パネルは透明な表面板の裏側で磁性体による筆記線が構成される構造であるため、筆記線が表示体と重なった場合には、筆記線が表示体の裏に隠されてしまい、筆記線が途切れてしまうという問題があった。
【０００５】
本発明はこうした事実に鑑み、磁性体反転表示パネルが有する罫線等の表示体が、磁気ペン等に擦られて剥がれることがないものとし、また、筆記線が表示体と重なった場合においても、筆記線が途切れてしまうことがないものとすることを目的とする。
【０００６】
【課題を解決するための手段】
次に、前記課題を解決するために案出した本発明を説明する。
「１．Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネルにおいて、筆記面を、Ｓ極側表面部分を第一の色に着色しＮ極側表面部分を第二の色に着色した第一の磁性体を分散した第一の分散液体を収容した第一の液体収容室で構成した第一筆記面と、Ｓ極側表面部分を前記第二の色又は第三の色に着色しＮ極側表面部分を前記第一の色又は第四の色に着色した第二の磁性体を分散した第二の分散液体を収容した第二の液体収容室で構成した、表示体を形成する第二筆記面とで形成したことを特徴とする。
２．Ｓ極側表面部分を第一の色に着色し、Ｎ極側表面部分を第二の色に着色した第一の磁性体を分散媒と増稠剤とを主成分とする降伏値を有する液体中に分散してなした分散液体を、複数の第一の液体収容室に収容し、該第一の液体収容室を透明な中板で被覆し、該透明な中板の上側に、凹部を設けてＳ極側表面部分を前記第二の色又は第三の色に着色しＮ極側表面部分を前記第一の色又は第四の色に着色した第二の磁性体を分散した第二の分散液体を収容した第二の液体収容室を形成し、前記透明な中板の上側に筆記面となる透明な表面板を配し、筆記面における前記第二の液体収容室の上面部分で表示体を構成する第二筆記面とし、その他の部分を第一筆記面としたことを特徴とする。」
【０００７】
本発明における罫線や文字や模様等の表示体は、第一筆記面における第一の液体収容室に収容した第一の磁性体の色と、第二筆記面における第二の液体収容室に収容した第二の磁性体の色の相違により現出するので、色の較差を出すことが重要である。尚、本発明における異なる色とは、色相、明度、彩度の少なくともいずれかの要素が違うものである。
【０００８】
また、本発明における磁性体反転表示パネルは、第一の液体収容室の第一の磁性体と第二の液体収容室の第二の磁性体とが入り混り、第一筆記面（背景部）と表示体との色の較差が減少して、筆記線や表示体の鮮明性が損なわれないようにするために、成形時に第一の磁性体と第二の磁性体とが混ざらないようにすることが好ましい。
【０００９】
【発明の実施の形態】
本発明を理解し易くするために図を用いて説明を行なう。図１は第一の実施の形態の磁性体反転表示パネルの第一状態を示す平面図で、図２は図１の要部断面模式図である。図２を用いて磁性体反転表示パネルの内部構造を簡単に説明をすると、磁性体反転表示パネル１は、筆記面２ａとなる透明な表面板２と裏面板３との間に、板材からなる隔壁４ａを組合わせて形成したハニカムセル４と、真空圧成形により成型した、隔壁５ａと隔壁間を連接する底部５ｂと底部の反対側に位置する折返部５ｃとで構成した有底のハニカムセル５とを介在させ、隔壁４ａ同士の間及び隔壁４ａと隔壁５ａとの間を第一の液体収容室６ａとし、隔壁５ａ同士の間を第二の液体収容室６ｂとしてある。また、Ｓ極側表面部分を緑色に着色しＮ極側表面部分を白色に着色した第一の磁性体８ａを分散媒と増稠剤とを主成分とする降伏値を有する液体７中に分散してなした分散液体９ａを、第一の液体収容室６ａに収容し、同液体７中にＳ極側表面部分を白色に着色しＮ極側表面部分を緑色に着色した第二の磁性体８ｂを分散した第二の分散液体９ｂを、液体収容室６ｂに収容してある。
【００１０】
図３は、本実施の形態の磁性体反転表示パネル１の製造工程の一部を示すものである。図３を用いて磁性体反転表示パネルの製造工程の一部を簡単に説明すると、初めに、有底のハニカムセル５を底部５ｂが下となるように配置して開口部を上に向けて（図２，図３における上下を反対にした状態）、第二の液体収容室６ｂに第二の分散液体９ｂを収容し、裏面板３を隔壁５ａ及び折返部５ｃに接着して第二の分散液体９ｂを封入し、次いで上下を反転し、図３に示すように、裏面板３の有底のハニカムセル５の隣りに、ハニカムセル４の隔壁４ａを接着して第一の液体収容室６ａを形成し、第一の液体収容室６ａに第一の分散液体９ａを収容し、次いで透明な表面板２をハニカムセル４の隔壁４ａ及びハニカムセル５の底部５ｂに接着して第一の分散液体を封入し（図２参照）、形成してある。
【００１１】
また、図２に示すように、第一状態の磁性体反転表示パネル１は、筆記面２ａに磁気イレーザー５０のＳ極を接触させた状態で往復動させてあり、磁気イレーザー５０の磁力ｇ（図中の一点鎖線の矢印）により、第一の磁性体８ａ及び第二の磁性体８ｂのいずれもが筆記面２ａにＮ極を向けてあり、第一の分散液体９ａに分散した第一の磁性体８ａで白色（Ｎ極側表面部分）の第一筆記面１０ａを構成し、第二の分散液体９ｂに分散した第二の磁性体８ｂで罫線となる緑色（Ｎ極側表面部分）の第二筆記面１０ｂを構成してある。
【００１２】
図４は、磁気ペンで、第一状態の磁性体反転表示パネル１の筆記面２ａに筆記を行ったときの平面図で、図５は図４の要部断面模式図である。図５に示すように、磁性体反転表示パネル１は、磁気ペン６０の前方部に配設した磁石６１のＮ極を、筆記面２ａに接触させた状態で矢印Ｖ方向へ動かし、磁気ペン６０の磁力ｈ（図中の一点鎖線の矢印）で第一の磁性体８ａ及び第二の磁性体８ｂを反転させ、磁気ペン６０の移動間にある（図５におけるＡ間にある）両磁性体８ａ，８ｂのＳ極を筆記面２ａに向けてある。図４，図５に示すように、筆記線Ａは、第一の磁性体部分Ａ１と第二の磁性体部分Ａ２とで線色が異なるものの、第二筆記面１０ｂに重なっている第二の磁性体部分Ａ２は、筆記面２ａに白色（Ｓ極側表面部分）を向けてあり、磁気ペン６０が通過していない第二筆記面１０ｂは緑色（Ｎ極側表面部分）であるため、結果的に重なった部分の筆記線は判別でき、途切れることなく表示がなされる。
【００１３】
図６は本実施の形態の磁性体反転表示パネルの第二状態を示す平面図で、図７は図６の要部断面模式図である。第二状態の磁性体反転表示パネル１は、筆記面２ａに磁気イレーザー５０のＮ極を接触させた状態で往復動させてあり、磁気イレーザー５０の磁力ｉ（図中の一点鎖線の矢印）により、第一の磁性体８ａ及び第二の磁性体８ｂのいずれもが、筆記面２ａにＳ極を向けており、第一の分散液体９ａに分散した第一の磁性体８ａで緑色（Ｓ極側表面部分）の第一筆記面１０ａを構成し、第二の分散液体９ｂに分散した第二の磁性体８ｂで罫線となる白色（Ｓ極側表面部分）の第二筆記面１０ｂを構成してある。尚、第二状態の磁性体反転表示パネル１に筆記線を書くには、先端にＳ極を有する磁気ペンを使用する。
【００１４】
図８は、磁気ペンで、第二状態の磁性体反転表示パネル１の筆記面２ａに筆記を行ったときの平面図で、図９は図８の要部断面模式図である。図９に示すように、磁性体反転表示パネル１は、磁気ペン７０の前方部に配設した磁石７１のＳ極を、筆記面２ａに接触させた状態で矢印Ｗ方向へ動かし、磁気ペン７１の磁力ｊ（図中の一点鎖線の矢印）で第一の磁性体８ａ及び第二の磁性体８ｂを反転させ、磁気ペン７０の移動間にある（図９におけるＢ間にある）両磁性体８ａ，８ｂのＮ極を筆記面２ａに向けてある。図８，図９に示すように、筆記線Ｂは、第一の磁性体部分Ｂ１と第二の磁性体部分Ｂ２とで線色が異なるものの、第二筆記面１０ｂに重なっている第二の磁性体部分Ｂ２は、筆記面２ａに緑色（Ｎ極側表面部分）を向けてあり、磁気ペン７０が通過していない第二筆記面１０ｂは白色（Ｓ極側表面部分）であるため、結果的に重なった部分の筆記線は判別でき、途切れることなく表示がなされる。
【００１５】
図１０は、第二の実施の形態の磁性体反転表示パネルを示す平面図で、図１１は図１０の要部断面模式図である。磁性体反転表示パネル１０１は、筆記面２ａとなる透明な表面板２と裏面板３との間に、板材からなる隔壁４ａを組合わせて形成したハニカムセル４を介在させてある。図中１０ａの部分は第一の液体収容室１０６ａとして前記第一の実施の形態と同様の分散液体９ａを収容して第一筆記面としてあり、１０ｂの部分は分散液体９ｂを収容して第二筆記面としてある。尚、本実施の形態では、隣り合う第一の液体収容室１０６ａと第二の液体収容室１０６ｂとに収容する、第一の磁性体８ａと第二の磁性体８ｂとが混ざらないようにするために、その製造時においては、裏面板３にハニカムセルを固着して双方の液体収容室１０６ａ，１０６ｂを形成し、第一の液体収容室１０６ａには第一の磁性体８ａを、第二の液体収容室１０６ｂには第二の磁性体８ｂを入れて、裏面板３の裏から磁石で双方の磁性体８ａ，８ｂを該裏面板３側に引き寄せた上で、液体７を双方の液体収容室１０６ａ，１０６ｂに収容させ、透明な表面板２をハニカムセル４の隔壁４ａに接着して第一の分散液体９ａ及び第二の分散液体９ｂを封入する工程としてある。他の構造及び作用は、前記第一の実施の形態の磁性体反転表示パネル１と同様であるため説明を省略する。
【００１６】
図１２は第三の実施の形態の磁性体反転表示パネルの第一状態を示す平面図で、図１３は図１２の要部断面模式図である。図１３を用いて磁性体反転表示パネルの内部構造を簡単に説明をすると、磁性体反転表示パネル２０１は、筆記面２０２ａとなる第一の透明な表面板２０２と第二の透明な表面板２２０とを貼り合わせ、第二の透明な表面板２２０と裏面板３との間に、板材からなる隔壁２０４ａを組合わせて形成したハニカムセル２０４を介在させてある。隔壁２０４ａ同士の間は第一の液体収容室２０６ａとしてある。第二の透明な表面板２２０の表側には、溝２２０ａを刻装してあり、溝２２０ａ内を第二の液体収容室２０６ｂとしてある。また、Ｓ極とＮ極を有しＳ極側表面部分を緑色に着色しＮ極側表面部分を白色に着色した第一の磁性体８ａを分散媒と増稠剤とを主成分とする降伏値を有する液体中７中に分散した第一の分散液体９ａを、液体収容室２０６ａに収容し、同液体７中にＳ極とＮ極を有しＳ極側表面部分を白色に着色しＮ極側表面部分を緑色に着色した第二の磁性体８ｂを分散した第二の分散液体９ｂを、第二の液体収容室２０６ｂに収容してある。
【００１７】
次に、磁性体反転表示パネル２０１の製造工程の一部を簡単に説明すると、初めに、ハニカムセル２０４ａに裏面板３を接着して第一の液体収容室２０６ａを形成し、第一の液体収容室２０６ａに第一の分散液体９ａを収容し、第二の透明な表面板２２０の裏側にハニカムセル２０４の隔壁２０４ａを接着して第一の分散液体２０９ａを封入し、第二の透明な表面板２２０の表側に設けた第二の液体収容室２０６ｂ（溝２２０ａ）に第二の分散液体９ｂを収容し、第二の透明な表面板２２０の表側に第一の透明な表面板２０２を接着し、第二の分散液体９ｂを第二の液体収容室２０６ｂに封入し、形成してある。
【００１８】
また、図１３に示すように、第一状態の磁性体反転表示パネル２０１は、筆記面２０２ａに磁気イレーザー５０のＳ極を接触させた状態で往復動させてあり、磁気イレーザー５０の磁力ｇ（図中の一点鎖線の矢印）により、第一の磁性体８ａ及び第二の磁性体８ｂのいずれもが、筆記面２ａにＮ極を向けており、第一の分散液体９ａに分散した第一の磁性体８ａで白色（Ｎ極側表面部分）の第一筆記面１０ａを構成し、第二の分散液体９ｂに分散した第二の磁性体８ｂで罫線となる緑色（Ｎ極側表面部分）の第二筆記面１０ｂを構成してある。
【００１９】
図１４は、磁気ペンで、第一状態の磁性体反転表示パネル２０１の筆記面２０２ａに筆記を行ったときの平面図で、図１５は図１４の要部断面模式図である。図１５に示すように、磁性体反転表示パネル２０１は、磁気ペン６０の前方部に配設した磁石６１のＮ極を筆記面２０２ａに接触させた状態で矢印Ｘ方向へ動かし、磁気ペン６０の磁力ｈ（図中の一点鎖線の矢印）で第一の磁性体８ａ及び第二の磁性体８ｂを反転させ、磁気ペン６０の移動間にある（図１５におけるＣ間にある）両磁性体８ａ，８ｂのＳ極を筆記面２０２ａに向けてある。図１４，図１５に示すように、筆記線Ｃは、第一の磁性体部分Ｃ１と第二の磁性体部分Ｃ２とで線色が異なるものの、第二筆記面１０ｂに重なっている第二の磁性体部分Ｃ２は、筆記面２０２ａに白色（Ｓ極側表面部分）を向けてあり、磁気ペン６０が通過していない第二筆記面１０ｂは緑色（Ｎ極側表面部分）であるため、結果的に重なった部分の筆記線は判別でき、途切れることなく表示がなされる。
【００２０】
図１６は第三の実施の形態の磁性体反転表示パネルの第二状態を示す平面図で、図１７は図１６の要部断面模式図である。第二状態の磁性体反転表示パネル２０１は、筆記面２０２ａに磁気イレーザー５０のＮ極を接触させた状態で往復動させてあり、磁気イレーザー５０の磁力ｉ（図中の一点鎖線の矢印）により、第一の磁性体８ａ及び第二の磁性体８ｂのいずれもが、筆記面２０２ａにＳ極を向けており、第一の分散液体９ａに分散した第一の磁性体８ａで緑色（Ｓ極側表面部分）の第一筆記面１０ａを構成し、第二の分散液体９ｂに分散した第二の磁性体８ｂで罫線となる白色（Ｓ極側表面部分）の第二筆記面１０ｂを構成してある。尚、第二状態の磁性体反転表示パネル２０１に筆記線を書くには、先端にＳ極を有する磁気ペンを使用する。
【００２１】
図１８は、磁気ペンで、第二状態の磁性体反転表示パネル２０１の筆記面２０２ａに筆記を行ったときの平面図で、図１９は図１８の要部断面模式図である。図１９に示すように、磁性体反転表示パネル２０１は、磁気ペン７０の前方部に配設した磁石７１のＳ極を、筆記面２０２ａに接触させた状態で矢印Ｙ方向へ動かし、磁気ペン７０の磁力ｊ（図中の一点鎖線の矢印）で第一の磁性体８ａ及び第二の磁性体８ｂを反転させ、磁気ペン７０の移動間にある（図１９におけるＤ間にある）両磁性体８ａ，８ｂのＮ極を筆記面２０２ａに向けてある。図１８，図１９に示すように、筆記線Ｄは、第一の磁性体部分Ｄ１と第二の磁性体部分Ｄ２とで線色が異なるものの、第二筆記面１０ｂに重なっている第二の磁性体部分Ｄ２は、筆記面２０２ａに緑色（Ｎ極側表面部分）を向けてあり、磁気ペン７０が通過していない第二筆記面１０ｂは白色（Ｓ極側表面部分）であるため、結果的に重なった部分の筆記線は判別でき、途切れることなく表示がなされる。
【００２２】
以上、本発明の実施の形態を詳述したが、本発明は、前記形態例に限定されるものではなく、特許請求の範囲に記載した本発明の要旨の範囲内で種々の変更を行うことができる。例えば、マイクロカプセルを液体収容室として分散液体（磁性体を降伏値を有する液体中に分散した液体）を収容したパネル構造のものに採用することも可能である。また、本実施の形態のように第一の磁性体を緑色と白色に色分けした場合に、第二の磁性体の色を、例えば青色と赤色のように、第一の磁性体の色と全く異なる組合せに着色しても良い。
【００２３】
また、図２０は本発明の変形例を示す参考姿図で、磁性体反転表示パネル３０１は、背景部となる第一筆記面１０ａを構成する第一の磁性体のＳ極側表面部分を青色、罫線となる第二筆記面１０ｂを構成する第二の磁性体のＳ極側表面部分を黄色、反対に、第一の磁性体のＮ極側表面部分は黄色、第二の磁性体のＮ極側表面部分は青色、となるように双方の磁性体の同じ磁極の色において大きな差を設けて着色してあることから、図２０Ａに示す第一筆記面１０ａが黄色で第二筆記面１０ｂが青色の状態の筆記面３０２ａにおいても、磁石８０を矢印方向に移動させて変化させた図２０Ｂに示す第一筆記面１０ａが青色で第二筆記面１０ｂが黄色の状態の筆記面３０２ａにおいても、第一筆記面１０ａ（背景部）に対して第二筆記面１０ｂ（罫線）は常に見易いものである。この関係は第一筆記面と筆記線との関係にも成立するので好ましい。また、図に示すように筆記面に対して幅広くＳ極とＮ極とが並行して接触することのできる磁石や、あるいは広い面積で筆記面に対して接触できる磁石を用いた場合には、第一筆記面（背景部）と第二筆記面（表示体）の色を同時に簡単に入れ替えさせることができるという作用効果が生じる。これに対し、図２１は、従来の罫線を設けた磁性体反転表示パネルを示す参考姿図で、磁性体反転表示パネル４０１は、第一の磁性体のＳ極側表面部分を青色、Ｎ極側表面部分を黄色に着色してあり、筆記面４０２ａには黒色のインキで印罫線４０２ｂを設けてある。筆記面４０２ａが黄色の状態（図２１Ａの状態）においては罫線４０２ｂは見易いが、磁石８０を矢印方向に移動させて変化させた青色の状態（図２１Ｂ）においては罫線４０２ｂは見辛くなってしまう。
【００２４】
【発明の効果】
本発明の磁性体反転表示パネルは前述したような構造なので、罫線等の表示体が透明な表面板の板面から浮き出た状態とならず、磁気ペン等に擦られて剥がれることがないものとなり、また、筆記線が表示体と重なった場合においても、筆記線が途切れてしまうことがないものとなった。
【図面の簡単な説明】
【図１】第一の実施の形態の磁性体反転表示パネルの第一状態を示す平面図である。
【図２】図１の要部断面模式図である。
【図３】第一の実施の形態の磁性体反転表示パネルの製造工程の一部を示すものである。
【図４】磁気ペンで、第一の実施の形態の第一状態の磁性体反転表示パネルの筆記面に筆記を行ったときの平面図である。
【図５】図４の要部断面模式図である。
【図６】第一の実施の形態の磁性体反転表示パネルの第二状態を示す平面図である。
【図７】図６の要部断面模式図である。
【図８】磁気ペンで、第一の実施の形態の第二状態の磁性体反転表示パネルの筆記面に筆記を行ったときの平面図である。
【図９】図８の要部断面模式図である。
【図１０】第二の実施の形態の磁性体反転表示パネルの第一状態を示す平面図である。
【図１１】図１０の要部断面模式図である。
【図１２】第三の実施の形態の磁性体反転表示パネルの第一状態を示す平面図である。
【図１３】図１２の要部断面模式図である。
【図１４】磁気ペンで、第三の実施の形態の第一状態の磁性体反転表示パネルの筆記面に筆記を行ったときの平面図である。
【図１５】図１４の要部断面模式図である。
【図１６】第三の実施の形態の磁性体反転表示パネルの第二状態を示す平面図である。
【図１７】図１６の要部断面模式図である。
【図１８】磁気ペンで、第三の実施の形態の第二状態の磁性体反転表示パネルの筆記面に筆記を行ったときの平面図である。
【図１９】図１８の要部断面模式図である。
【図２０】本発明の変形例を示す参考姿図である。
【図２１】従来の罫線を設けた磁性体反転表示パネルを示す参考姿図である。
【符号の説明】
１，１０１，２０１，３０１，４０１…磁性体反転表示パネル、
２，２０２…透明な表面板、２ａ，２０２ａ，３０２ａ，４０２ａ…筆記面、
２０２…第一の透明な表面板、２０２ａ…筆記面、
２２０…第二の透明な表面板、２２０ａ…溝、
３…裏面板、
４，２０４…ハニカムセル、４ａ，２０４ａ…隔壁、
５…有底のハニカムセル、５ａ…隔壁、５ｂ…底部、５ｃ…折返部、
６ａ，１０６ａ，２０６ａ…第一の液体収容室、
６ｂ，１０６ｂ，２０６ｂ…第二の液体収容室、
７…液体、８ａ…第一の磁性体、８ｂ…第二の磁性体、
９ａ…第一の分散液体、９ｂ…第二の分散液体。
【図１】
2004050740.tif 000003
【図２】
2004050740.tif 000004
【図３】
2004050740.tif 000005
【図４】
2004050740.tif 000006
【図５】
2004050740.tif 000007
【図６】
2004050740.tif 000008
【図７】
2004050740.tif 000009
【図８】
2004050740.tif 000010
【図９】
2004050740.tif 000011
【図１０】
2004050740.tif 000012
【図１１】
2004050740.tif 000013
【図１２】
2004050740.tif 000014
【図１３】
2004050740.tif 000015
【図１４】
2004050740.tif 000016
【図１５】
2004050740.tif 000017
【図１６】
2004050740.tif 000018
【図１７】
2004050740.tif 000019
【図１８】
2004050740.tif 000020
【図１９】
2004050740.tif 000021
【図２０】
2004050740.tif 000022
【図２１】
2004050740.tif 000023